(57)【特許請求の範囲】
【請求項１】
立体画像を生成するための右眼画像および左眼画像を撮像する２つの撮像部を備える２眼撮像装置において、
自装置の姿勢が、上記２つの撮像部による上記右眼画像および上記左眼画像の撮像ができる正姿勢であるか否かを検知する姿勢検知手段と、
向きを判別可能な標識の画面表示を行う標識表示手段と、
上記姿勢検知手段が検知する姿勢に応じて、上記標識表示手段が上記画面表示における標識の表示の向きを変更する姿勢追従モードと、上記標識表示手段が上記画面表示における標識の表示の向きを、正姿勢において表示する向きに維持する向き維持モードとを切り替えるモード切替手段とを備え、
上記モード切替手段は、上記２つの撮像部による上記右眼画像および上記左眼画像の撮像を行う際に、上記向き維持モードに切り替えることを特徴とする２眼撮像装置。
【請求項２】
上記標識表示手段は、上記向き維持モードでは、上記姿勢検知手段が検知する姿勢に応じて、上記画面表示における上記標識の表示の位置を変更することを特徴とする請求項１に記載の２眼撮像装置。
【請求項３】
上記向き維持モードでは、上記姿勢検知手段が検知する姿勢が正姿勢でない場合でも、上記標識表示手段による上記標識の表示の位置を、正姿勢において表示する位置に維持することを特徴とする請求項１または２に記載の２眼撮像装置。
【請求項４】
上記２つの撮像部による上記右眼画像および上記左眼画像の撮像を指示する際において、自装置の上下姿勢が逆であるときは、上記姿勢検知手段が検知する姿勢に応じた向きで自装置の上下姿勢が逆である旨の警告通知を行う通知手段を備えることを特徴とする請求項１から３のいずれか１項に記載の２眼撮像装置。
【請求項５】
上記２つの撮像部の一方により平面画像を撮像する平面画像撮像手段を備え、
上記モード切替手段は、上記平面画像撮像手段による撮像を行う際に、上記姿勢追従モードに切り替えることを特徴とする請求項１から４のいずれか１項に記載の２眼撮像装置。
【請求項６】
上記標識には、上記２つの撮像部による上記右眼画像および上記左眼画像の撮像を指示するための標識が含まれることを特徴とする請求項１から５のいずれか１項に記載の２眼撮像装置。
【請求項７】
上記標識には、上記モード切替手段にモード切替を指示するための標識が含まれることを特徴とする請求項１から６のいずれか１項に記載の２眼撮像装置。
【請求項８】
上記標識には、上記モード切替手段にモード切替を指示するための標識が含まれ、
上記モード切替手段は、姿勢追従モードにおいて、自装置の上下姿勢が逆である場合、
上下姿勢が逆である旨の表示、および、向き維持モードへの変更の禁止、の少なくとも一方を実行することを特徴とする請求項１から７のいずれか１項に記載の２眼撮像装置。
【請求項９】
請求項１から８のいずれか１項に記載の２眼撮像装置を動作させる２眼撮像装置制御プログラムであって、コンピュータを上記の各手段として機能させるための２眼撮像装置制御プログラム。
【請求項１０】
請求項９に記載の２眼撮像装置制御プログラムを記録したコンピュータ読み取り可能な記録媒体。
【請求項１１】
立体画像を生成するための右眼画像および左眼画像を撮像する２つの撮像部を備える２眼撮像装置の制御方法において、
自装置の姿勢が、上記２つの撮像部による上記右眼画像および上記左眼画像の撮像ができる正姿勢であるか否かを検知する姿勢検知ステップと、
上記姿勢検知ステップが検知する姿勢に応じて、向きを判別可能な標識の向きを画面表示において変更する姿勢追従モード処理ステップと、
上記画面表示における上記標識の表示の向きを、正姿勢において表示する向きに維持する向き維持モード処理ステップと、
上記２つの撮像部による上記右眼画像および上記左眼画像の撮像を行う際に、上記姿勢追従モード処理ステップから上記向き維持モードステップに切り替えるモード切替ステップとを含むことを特徴とする２眼撮像装置の制御方法。
【発明の詳細な説明】
【技術分野】
【０００１】
本発明は２眼カメラを備える２眼撮像装置、その制御方法、および、制御プログラムおよびコンピュータ読み取り可能な記録媒体に関する。
【背景技術】
【０００２】
近年、通信機能、情報処理機能、および、その他各種の機能を備える高機能携帯端末、いわゆるスマートフォンが市場において出回っている。
【０００３】
スマートフォンが備える機能は非常に様々であり、例えば、動画像再生機能、ブラウザ機能、ｅマール機能、スケジュール機能、およびカメラ機能などが挙げられる。
【０００４】
また、近年、多くのスマートフォンでは、ユーザーインターフェース（以下、ＵＩ［User Interface］と略称する）にタッチパネルが採用されており、これにより直感的な操作を実現している。
【０００５】
これに対して、従来の多くの携帯電話機において採用されていたような物理的なボタンの数は少なくなってきている。
【０００６】
このため、物理的なボタンの数が少ないスマートフォンは、端末の上下、左右の区別がつきにくい場合がある。よって、例えば、スマートフォンの機能を実行するのに適正な端末の向きなどの制約がある場合に、ユーザが適正な端末の向きを認識しにくくなることがある。
【０００７】
例えば、カメラ機能で撮影を行う際、ユーザが端末を上下逆に持っていた場合、撮影を行うのに適正な端末の向きをユーザが判断する必要がある。この場合、ユーザは、例えば、カメラ機能により画面内に表示される文字やアイコンの位置関係などを手がかりに端末の向きを判断することになる。
【０００８】
この問題について、従来、端末が適正な向きでない場合、警告を表示したり、撮影を禁止したりする技術が提案されている（特許文献１〜６）。
【０００９】
また、端末の上下の向きに対応して自動的にＵＩも反転し、その向きのまま撮影可能な状態にすることも提案されている。
【先行技術文献】
【特許文献】
【００１０】
【特許文献１】特開2007-189533号公報（２００７年７月２６日公開）
【特許文献２】特開2011-019028号公報（２０１１年１月２７日公開）
【特許文献３】特開平06-148764号公報（１９９４年５月２７日公開）
【特許文献４】特開2007-124548号公報（２００７年５月１７日公開）
【特許文献５】特開2008-010898号公報（２００８年１月１７日公開）
【特許文献６】特開2007-208854号公報（２００７年８月１６日公開）
【発明の概要】
【発明が解決しようとする課題】
【００１１】
スマートフォンでは、平面画像の２Ｄ撮影と、立体画像の３Ｄ撮影との両方を行えるものも有る。
【００１２】
ここで、２Ｄ撮影における平面画像については、端末の上下左右、すなわち姿勢を特に意識することなく、撮影可能なものもある。
【００１３】
一方で、３Ｄ撮影における立体画像については、２眼カメラで左右の眼に対応する画像を撮影する都合上、端末の上下が逆の状態で撮影すると、画像の左右が逆となり、良好な立体視が得られないものがある。
【００１４】
このようなものの例としては、左に対応する画像を主カメラで撮影し、右に対応する画像をサブカメラで撮影し、主カメラで撮影した画像に対して、サブカメラで撮影した画像をシフトして、当該２つの画像を統合することで立体画像を作成するものが挙げられる。
【００１５】
このように、端末の姿勢を特に意識しなくてもよい２Ｄ撮影と、端末の姿勢を意識する必要のある３Ｄ撮影とが混在しているため、ユーザが端末の姿勢を認識すべき否か混乱するおそれがある。よって、端末の姿勢を意識すべきときには、ユーザに端末の姿勢を認識させることが望まれる。
【００１６】
本発明は、上記問題を鑑みてなされたものであり、その目的は、上下または左右の区別がある立体画像の撮像時に、端末の姿勢を標識の画面表示によりユーザに認識させることができる２眼撮像装置、その制御方法、および、制御プログラムおよびコンピュータ読み取り可能な記録媒体を実現することにある。
【課題を解決するための手段】
【００１７】
上記の課題を解決するために、本発明に係る２眼撮像装置では、立体画像を生成するための右眼画像および左眼画像を撮像する２つの撮像部を備える２眼撮像装置において、自装置の姿勢が、上記２つの撮像部による上記右眼画像および上記左眼画像の撮像ができる正姿勢であるか否かを検知する姿勢検知手段と、向きを判別可能な標識の画面表示を行う標識表示手段と、上記姿勢検知手段が検知する姿勢に応じて、上記標識表示手段が上記画面表示における標識の表示の向きを変更する姿勢追従モードと、上記標識表示手段が上記画面表示における標識の表示の向きを、正姿勢において表示する向きに維持する向き維持モードとを切り替えるモード切替手段とを備え、上記モード切替手段は、上記２つの撮像部による上記右眼画像および上記左眼画像の撮像を行う際に、上記向き維持モードに切り替えることを特徴とする。
【００１８】
上記の課題を解決するために、本発明に係る２眼撮像装置の制御方法では、立体画像を生成するための右眼画像および左眼画像を撮像する２つの撮像部を備える２眼撮像装置の制御方法において、自装置の姿勢が、上記２つの撮像部による上記右眼画像および上記左眼画像の撮像ができる正姿勢であるか否かを検知する姿勢検知ステップと、上記姿勢検知ステップが検知する姿勢に応じて、向きを判別可能な標識の向きを画面表示において変更する姿勢追従モード処理ステップと、上記画面表示における上記標識の表示の向きを、正姿勢において表示する向きに維持する向き維持モード処理ステップと、上記２つの撮像部による上記右眼画像および上記左眼画像の撮像を行う際に、上記姿勢追従モード処理ステップから上記向き維持モードステップに切り替えるモード切替ステップとを含むことを特徴とする。
【００１９】
上記構成によれば、右眼画像および左眼画像の２つの画像を撮像し、これにより立体画像を生成するための撮像画像を取得する。なお、取得する撮像画像は、静止画像であってもよいし、動画であってもよい。
【００２０】
立体画像の生成手法の手法は、２眼カメラによって撮像した右眼画像および左眼画像の２つの画像を用いるものであれば、とくに制限はなく、従来技術、例えば、サイド・バイ・サイド方式等を採用可能である。
【００２１】
また、例えば、右眼画像および左眼画像のうちいずれか一方が立体画像を生成するための主画像であり、他方が、立体画像を生成するためのサブ画像であってもよい。そして、上記主画像に対して、上記サブ画像をずらすことで上記立体画像が生成できるような構成であってもよい。
【００２２】
また、自装置の上下は、右眼画像および左眼画像を撮像する撮像部の左右の位置関係に基づいて定まるといえる。
【００２３】
上記左眼画像および上記右眼画像を撮像できる正姿勢とは、左眼画像を撮像するための撮像部が、被写体に対して左側に位置し、右眼画像を撮像するための撮像部が、被写体に対して右側に位置する位置にある姿勢のことである。
【００２４】
また、自装置の上下が逆転すれば、左眼画像撮像用の撮像部は、被写体の右側に位置し、右眼画像撮像用の撮像部は、被写体の左側に位置することになる。
【００２５】
よって、上記左眼画像および上記右眼画像を撮像できる正姿勢とは、言い換えれば、２つの撮像部が地面に対して水平に位置付けられており、なおかつ、自装置の上下が逆転していない姿勢である。
【００２６】
また、向きを判別可能な標識とは、上下左右の識別がつくような１または複数の標識のことである。標識の例としては、画面に表示するアイコン、ボタン、およびメッセージなどが挙げられる。なお、上記構成において、画面表示はタッチパネルにより実現されていてもよい。
【００２７】
また、上記構成では、自装置が正姿勢でない場合でも、画面表示上の標識の向きを、正姿勢において表示する向きに維持する向き維持モードを有する。
【００２８】
そして、上記構成では、自装置の姿勢に応じて、画面表示上の標識の向きを変更する姿勢追従モードを有する。これは、例えば、自装置の上下姿勢が逆になっても、ユーザから見た上下が変更されないようにしたほうが、ユーザの使い勝手がよい場合があるからである。例えば、平面画像を撮像する場合などである。
【００２９】
上記構成では、以上のような姿勢追従モードと、向き維持モードとは切り替え可能に構成している。
【００３０】
さらに、上記構成によれば、立体画像を生成するための撮像画像を取得する際には、向き維持モードに切り替える。
【００３１】
これにより、上下または左右の区別がある立体画像の撮像時に、端末の姿勢を標識の画面表示によりユーザに認識させることができるという効果を奏する。
【００３２】
本発明に係る２眼撮像装置では、上記標識表示手段は、上記向き維持モードでは、上記姿勢検知手段が検知する姿勢に応じて、上記画面表示における上記標識の表示の位置を変更することが好ましい。
【００３３】
上記構成によれば、端末の姿勢に応じて、標識の位置を変更する。例えば、端末の姿勢に応じて、画面表示上の表示位置は変更するが、ユーザから見て標識の位置が変わらないようにすることが好ましい。例えば、標識の表示の位置は、画面表示の中央であってもよい。具体的には、ユーザから見ると、端末の姿勢に関わらず、画面表示上、右上の位置に標識が表示されるようにしてもよい。このように構成した場合、また、端末の姿勢に関わらず、標識の位置がユーザから見て変わらないので、上記構成は、標識が、操作を指示するソフトキーであるときの操作における利便性の向上を図ることができる。
【００３４】
この結果、ユーザが見やすい位置に標識を表示することができるという効果を奏する。
【００３５】
本発明に係る２眼撮像装置では、上記向き維持モードでは、上記姿勢検知手段が検知する姿勢が正姿勢でない場合でも、上記標識表示手段による上記標識の表示の位置を、正姿勢において表示する位置に維持することが好ましい。
【００３６】
上記構成によれば、正姿勢でない場合でも、上記標識の表示の位置を、正姿勢において表示する位置に維持する。
【００３７】
これにより、ユーザから見ると、端末の姿勢に従って、標識の位置が変わるので、ユーザに端末の方向をより容易の認識させることができるという効果を奏する。
【００３８】
本発明に係る２眼撮像装置では、上記２つの撮像部による上記右眼画像および上記左眼画像の撮像を指示する際において、自装置の上下姿勢が逆であるときは、上記姿勢検知手段が検知する姿勢に応じた向きで自装置の上下姿勢が逆である旨の警告通知を行う通知手段を備えることが好ましい。
【００３９】
上記構成によれば、端末の姿勢に応じた向きの警告通知を行う。警告通知の向きとは、例えば、文字の向きのことである。
【００４０】
このため、ユーザに何かメッセージを通知する場合、端末の姿勢の上下が逆になっても、ユーザから見てメッセージを認識しやすいように通知を行うことができる。
【００４１】
本発明に係る２眼撮像装置では、上記２つの撮像部の一方により平面画像を撮像する平面画像撮像手段を備え、上記モード切替手段は、上記平面画像撮像手段による撮像を行う際に、上記姿勢追従モードに切り替えることが好ましい。
【００４２】
上記構成によれば、いわゆる２Ｄモードおよび３Ｄモードによる撮影を行うことができる２眼撮像装置を好適に構成することができる。２眼撮像装置の例としては、２眼デジタルカメラ、高機能携帯電話機、すなわち、スマートフォンや、タブレット型の端末が挙げられる。
【００４３】
本発明に係る２眼撮像装置では、上記標識には、上記２つの撮像部による上記右眼画像および上記左眼画像の撮像を指示するための標識が含まれることが好ましい。
【００４４】
上記構成によれば、標識のうちの一つは、２眼カメラによる３Ｄ撮影を行うためのソフトキーである。ソフトキーの使い勝手を向上させることができる。
【００４５】
本発明に係る２眼撮像装置では、上記標識には、上記モード切替手段にモード切替を指示するための標識が含まれることが好ましい。
【００４６】
上記構成によれば、標識のうちの一つは、例えば、３Ｄモードと、２Ｄモードとを切り替えるためのソフトキーである。ソフトキーの使い勝手を向上させることができる。
【００４７】
本発明に係る２眼撮像装置では、上記標識には、上記モード切替手段にモード切替を指示するための標識が含まれ、上記モード切替手段は、姿勢追従モードにおいて、自装置の上下姿勢が逆である場合、上下姿勢が逆である旨の表示、および、向き維持モードへの変更の禁止、の少なくとも一方を実行することが好ましい。
【００４８】
上下左右の区別がない姿勢追従モードから、上下左右の区別がある向き維持モードに切り替わったとき、向き維持モードにおいて端末の上下が逆となることがある。
【００４９】
上記構成によれば、このような場合において、上下姿勢が逆である旨の表示してユーザに対して注意を喚起することができる。また、上記構成によれば、このような場合において、端末の上下が逆となることを回避することができる。
【００５０】
これにより、モード切替時における利便性の向上を図ることができる。
【００５１】
なお、上記２眼撮像装置は、コンピュータによって実現してもよく、この場合には、コンピュータを上記各手段として動作させることにより２眼撮像装置をコンピュータにて実現させる２眼撮像装置制御プログラムおよびそれを記録したコンピュータ読み取り可能な記録媒体も、本発明の範疇に入る。
【発明の効果】
【００５２】
本発明に係る２眼撮像装置は、自装置の姿勢が、２つの撮像部による右眼画像および左眼画像の撮像ができる正姿勢であるか否かを検知する姿勢検知手段と、向きを判別可能な標識の画面表示を行う標識表示手段と、上記姿勢検知手段が検知する姿勢に応じて、上記標識表示手段が上記画面表示における標識の表示の向きを変更する姿勢追従モードと、上記標識表示手段が上記画面表示における標識の表示の向きを、正姿勢において表示する向きに維持する向き維持モードとを切り替えるモード切替手段とを備え、上記モード切替手段は、上記２つの撮像部による上記右眼画像および上記左眼画像の撮像を行う際に、上記向き維持モードに切り替える構成である。
【００５３】
本発明に係る２眼撮像装置の制御方法は、自装置の姿勢が、２つの撮像部による右眼画像および左眼画像の撮像ができる正姿勢であるか否かを検知する姿勢検知ステップと、上記姿勢検知ステップが検知する姿勢に応じて、向きを判別可能な標識の向きを画面表示において変更する姿勢追従モード処理ステップと、上記画面表示における上記標識の表示の向きを、正姿勢において表示する向きに維持する向き維持モード処理ステップと、上記２つの撮像部による上記右眼画像および上記左眼画像の撮像を行う際に、上記姿勢追従モード処理ステップから上記向き維持モードステップに切り替えるモード切替ステップとを含む方法である。
【００５４】
よって、上下または左右の区別がある立体画像の撮像時に、端末の姿勢を標識の画面表示によりユーザに認識させることができるという効果を奏する。
【図面の簡単な説明】
【００５５】
【図１】本発明の一実施形態に係る携帯端末の概略的機能の一例を示す機能ブロック図である。
【図２】上記携帯端末の外観を示す図である。同図の（ａ）は、上記携帯端末においてタッチパネル表示部が設けられている面（表面）を示しており、同図の（ｂ）は、上記携帯端末において２眼カメラ部が設けられている面（裏面）を示している。また、同図の（ｃ）は、上記携帯端末のタッチパネル表示部と、裏面に設けられている２眼カメラ部との位置関係を示している。
【図３】上記携帯端末が記憶している表示制御設定の具体例を示すテーブルである。
【図４】上記携帯端末における標識表示処理の流れの一例を示すフローチャートである。
【図５】２Ｄ撮影モードにおける上記携帯端末の各姿勢での画面表示の一例を示している。同図の（ａ）、（ｂ）、（ｃ）、および（ｄ）は、それぞれ上記携帯端末の姿勢が“ホーム”、“右９０度回転”、“右１８０度回転”および“右２７０度回転（左９０度回転）”である場合の画面表示の例を示している。
【図６】３Ｄ撮影モードにおける上記携帯端末の各姿勢での画面表示の一例を示している。同図の（ａ）、（ｂ）、（ｃ）、および（ｄ）は、それぞれ上記携帯端末の姿勢が“ホーム”、“右９０度回転”、“右１８０度回転”および“右２７０度回転（左９０度回転）”である場合の画面表示の例を示している。
【図７】３Ｄ撮影モードにおける警告メッセージの通知について例示する図である。
【図８】動画像・３Ｄ撮影モードにおける上記携帯端末の各姿勢での画面表示の一例を示している。同図の（ａ）、（ｂ）、（ｃ）、および（ｄ）は、それぞれ上記携帯端末の姿勢が“ホーム”、“右９０度回転”、“右１８０度回転”および“右２７０度回転（左９０度回転）”である場合の画面表示の例を示している。
【図９】２Ｄ撮影モードにおける上記携帯端末の各姿勢での画面表示の変形例を示している。同図の（ａ）、（ｂ）、（ｃ）、および（ｄ）は、それぞれ上記携帯端末の姿勢が“ホーム”、“右９０度回転”、“右１８０度回転”および“右２７０度回転（左９０度回転）”である場合の画面表示の例を示している。
【図１０】３Ｄ撮影モードにおける上記携帯端末の各姿勢での画面表示の一変形例を示している。同図の（ａ）、（ｂ）、（ｃ）、および（ｄ）は、それぞれ上記携帯端末の姿勢が“ホーム”、“右９０度回転”、“右１８０度回転”および“右２７０度回転（左９０度回転）”である場合の画面表示の例を示している。
【図１１】３Ｄ撮影モードにおける上記携帯端末の各姿勢での画面表示の他の変形例を示している。同図の（ａ）、（ｂ）、（ｃ）、および（ｄ）は、それぞれ上記携帯端末の姿勢が“ホーム”、“右９０度回転”、“右１８０度回転”および“右２７０度回転（左９０度回転）”である場合の画面表示の例を示している。
【図１２】３Ｄ撮影モードにおける上記携帯端末の各姿勢での画面表示のさらに他の例を示している。同図の（ａ）、（ｂ）、（ｃ）、および（ｄ）は、それぞれ上記携帯端末の姿勢が“ホーム”、“右９０度回転”、“右１８０度回転”および“右２７０度回転（左９０度回転）”である場合の画面表示の例を示している。
【図１３】２Ｄ／３Ｄモード切替ボタンの変形例について示す図である。
【発明を実施するための形態】
【００５６】
本発明の一実施形態について図１〜図１３に基づいて説明すると以下のとおりである。
【００５７】
（携帯端末の外観）
まず、図２を用いて、本実施形態に係る携帯端末（２眼撮像装置）１の外観について説明する。図２は、携帯端末１の外観を示す図である。
【００５８】
携帯端末１は、例示的には、高機能携帯端末機、いわゆるスマートフォンや、タブレット型情報端末などである。また、携帯端末１は、２Ｄ撮影および３Ｄ撮影を行うための２眼カメラ部（２つの撮像部）１０およびタッチ操作を行うためのタッチパネル表示部（標識表示手段）２０を備えている。
【００５９】
まず、図２の（ａ）を参照して、携帯端末１の表示画面について説明する。なお、以下、説明の便宜上、図２の（ａ）に示す面を、携帯端末１の表面とする。同図は、携帯端末１の表面の外観を示している。
【００６０】
図２の（ａ）に示すように、携帯端末１の表面にはタッチパネル表示部２０およびボタン部２３が設けられている。
【００６１】
タッチパネル表示部２０は、タッチ入力を受け付けるとともに、画面表示を行うものである。
【００６２】
ボタン部２３は、携帯端末１の各種操作を行うためのハードウェア的なボタンである。
【００６３】
続いて、図２の（ｂ）を参照して、携帯端末１の裏面について説明する。つまり、同図は、図２の（ａ）に示す携帯端末１を裏返したときの外観を示している。
【００６４】
図２の（ｂ）に示すように、携帯端末１は、２Ｄ撮影および３Ｄ撮影を行う２眼カメラ部１０を備えている。また、２眼カメラ部１０は、主撮像部（撮像部）１１および副撮像部（撮像部）１２を備える。
【００６５】
図２の（ｃ）において、２Ｄ撮影を行う２Ｄ撮影モード（姿勢追従モード）または３Ｄ撮影を行う３Ｄ撮影モード（向き維持モード）により被写体を撮影するときの基本的な姿勢を示している。また、図２の（ｃ）では、裏面に設けられている２眼カメラ部１０の位置を点線にて示している。また、携帯端末１の上下左右を矢印Ｔ，Ｂ，ＬおよびＲにて示している。
【００６６】
すなわち、２眼カメラ部１０による撮影を行うときの基本的な姿勢では、矢印Ｂの方向を重力方向と合わせる。この基本的な姿勢では、矢印Ｂの方向は、ユーザからみて下方向となる。また、矢印Ｔの方向は、撮影時の基本的な姿勢において上となる方向である。また、主撮像部１１を左側（矢印Ｌの方向）に位置付けるとともに、副撮像部１２を右側（矢印Ｒの方向）に位置付ける。
【００６７】
以下、このような撮影時の基本的な姿勢をホーム姿勢（正姿勢）と称する。なお、２Ｄ撮影モードのホーム姿勢と３Ｄ撮影モードのホーム姿勢とは異なっていてもかまわない。例えば、２Ｄ撮影モードのホーム姿勢を図２の（ａ）に示す状態としてもかまわない。
【００６８】
なお、図２の（ａ）および（ｂ）においても同様に、ホーム姿勢に対応する矢印を付記している。
【００６９】
また、２Ｄ撮影時には、主撮像部１１が平面画像を撮影する。そして、３Ｄ撮影時には、主撮像部１１が、左眼画像を撮像し、副撮像部１２が、右眼画像を撮像する。
【００７０】
（携帯端末の構成）
次に、図１を用いて、携帯端末１の機能について説明する。図１は、携帯端末１の機能について例示する機能ブロック図である。
【００７１】
図１に示すように、携帯端末１は、２眼カメラ部１０、姿勢検知部（姿勢検知手段）１３、タッチパネル表示部２０、ボタン部２３、記憶部３０、および制御部４０を備える。
【００７２】
２眼カメラ部１０は、被写体を撮影して画像を取得するためのものである。上述のとおり、２眼カメラ部１０は、主撮像部１１および副撮像部１２を備える。
【００７３】
また、主撮像部１１および副撮像部１２のそれぞれは、光学系および撮像素子（ＣＣＤ（Charge Coupled Devices）、ＣＭＯＳ（Complementary Metal-Oxide-Semiconductor）等）により実現することができる。
【００７４】
また、２眼カメラ部１０は、主撮像部１１による２Ｄ撮影モードと、主撮像部１１および副撮像部１２による３Ｄ撮影モードとの２つの撮影モードに対応している。
【００７５】
また、２眼カメラ部１０は、静止画の撮影だけでなく、動画の撮影も可能である。なお、以下では、特記しないかぎり、静止画の撮影について説明を行う。
【００７６】
３Ｄ撮影モードでの３Ｄ撮影時には、主撮像部１１が左眼画像を撮像するとともに、副撮像部１２が右眼画像を撮像する。そして、主撮像部１１は、撮像した左眼画像を左眼画像データとして、制御部４０に送信する。また、副撮像部１２は、撮像した右眼画像を右眼画像データとして制御部４０に送信する。
【００７７】
一方、２Ｄ撮影モードでの２Ｄ撮影時には、主撮像部１１のみが被写体の撮像を行い、撮像により得た平面画像を平面画像データとして制御部４０に送信する。
【００７８】
なお、以下において、特に３Ｄ撮影時の左眼画像データおよび右眼画像データを区別する必要がない場合や、３Ｄ撮影時と２Ｄ撮影時とを区別する必要がない場合には、２眼カメラ部１０が送信するデータのことを撮影画像データと称する。
【００７９】
姿勢検知部１３は、携帯端末１の姿勢を検知するためのものである。姿勢検知部１３は、例えば、重力方向等を検知する３軸の加速度センサにより実現することができる。
【００８０】
姿勢とは、例えば、タッチパネル表示部２０の表示画面に垂直な軸を中心とする端末筐体の回転のことをさす。そして、姿勢は、例えば、ホーム姿勢の下方向（図２の（ａ）〜（ｃ）に示した矢印Ｂの方向）が重力方向からどれくらい回転しているかにより示すことができる。
【００８１】
姿勢検知部１３は、検知した姿勢を示す姿勢データを生成して、生成した姿勢データを制御部４０に送信する。
【００８２】
タッチパネル表示部２０は、接触操作を受け付ける操作部２１および画面表示を行う表示部（標識表示手段）２２を備える。
【００８３】
操作部２１は、表示部２２の表示画面の接触操作位置を検出して、検出した接触操作位置に基づく操作データを、制御部４０に送信する。なお、操作部２１が、接触操作位置を検出する手法としては、例えば、マトリクス・スイッチ、抵抗膜方式、表面弾性波方式、赤外線方式、電磁誘導方式、静電容量方式、および、対象物の画像を検出する方式（光センサ方式）などが挙げられる。しかしながら、これに限られず、接触操作位置を検出する手法には、種々の手法を適宜適用することができる。
【００８４】
表示部２２は、画像データを表示するための表示画面を有しており、制御部４０から画像データを受信し、受信した画像データに基づいてその表示画面に画像を表示するものである。表示部２２は、例えば、ＬＣＤ（Liquid Crystal Display）、ＰＤＰ（Plasma Display Panel）、ＥＬ（Electroluminescence）ディスプレイなどにより実現することができる。
【００８５】
ボタン部２３は、上述のとおり携帯端末１の表面に設けられたハードウェア的なボタンである。ボタン部２３は、ユーザの操作に応じた操作データを作成して制御部５０に送信する。
【００８６】
記憶部３０は、各種データおよびプログラムを記憶するものである。また、制御部４０は、携帯端末１の各種機能を統括的に制御するものである。記憶部３０および制御部４０の構成の詳細については以下において説明する。
【００８７】
（記憶部の詳細構成）
記憶部３０は、具体的には、画像記憶部３１および表示制御設定記憶部３２を備える構成である。
【００８８】
画像記憶部３１は、撮影制御部４１の制御に応じて２眼カメラ部１０において撮影された画像データを記憶するものである。画像データは、例えば、ファイル名などにより識別される。また、画像データについては、２Ｄ撮影モードによる平面画像であるか、３Ｄ撮影モードによる立体画像であるか、あるいは動画像データであるか、静止画像データであるか、などに応じて各種のファイル形式を採用することができる。ファイル名には、ファイル形式を示す拡張子が含まれていてもよい。
【００８９】
表示制御設定記憶部３２は、タッチパネル表示部２０に対する表示の設定を示す表示制御設定を記憶するものである。表示制御設定は、携帯端末１の姿勢と、標識表示の向きとの対応付けを示す情報である。なお、標識の詳細については後述する。
【００９０】
表示制御設定は、静止画用設定および動画用設定の２系統に大別される。また、それぞれの系統において、表示制御設定には、２Ｄ撮影モードにおいて用いられる２Ｄ撮影モード表示制御設定と、３Ｄ撮影モードにおいて用いられる３Ｄ撮影モード表示制御設定との２種類がある。
【００９１】
ここで図３を用いて、表示制御設定の具体例について説明すると次のとおりである。図３は、表示制御設定の具体例を示すテーブルである。
【００９２】
図３に示すように、表示制御設定では、静止画用設定“スチルカメラ（静止画）”と、動画用設定“ビデオカメラ（動画）”とが別々に定義されている。また、静止画用設定および動画用設定のそれぞれにおいて、２Ｄ撮影モード表示制御設定（同図において、“２Ｄ”と表記）、および、３Ｄ撮影モード表示制御設定（同図において“３Ｄ”と表記）が定義されている。
【００９３】
また、“２Ｄ”および“３Ｄ”において画面に表示するアイコンの設定（同図において“アイコン表示”と表記）およびメッセージの設定（同図において“メッセージ表示”と表記）の２種類が定義されている。
【００９４】
また、図３に示すように、“アイコン表示”および“メッセージ表示”のそれぞれについて、携帯端末１の各姿勢における動作が設定される。
【００９５】
携帯端末１の姿勢には、“ホーム”、“左９０度回転”、“右９０度回転”、および“１８０度回転”がある。
【００９６】
“アイコン表示”では、それぞれの姿勢における標識の向きを設定することができる。
【００９７】
また、“メッセージ表示”では、それぞれの姿勢においてメッセージ表示を行うか否かを設定することができる。
【００９８】
例えば、静止画−３Ｄ−アイコン表示では、“ホーム”、“左９０度回転”、“右９０度回転”について“回転する”が設定されている。“回転する”とは、携帯端末１の姿勢に応じてアイコンを回転させて、アイコンの下方向を重力方向にあわせることを示す。よって、ユーザの視点からみれば、アイコンの上下は、携帯端末１の姿勢によらず変わらない。
【００９９】
また、例えば、静止画−２Ｄ−アイコン表示では、４つの姿勢それぞれについて“回転しない”が設定されている。“回転しない”とは、携帯端末１の姿勢に応じてアイコンを回転しないことを示している。
【０１００】
（制御部の詳細構成）
図１に示すように、制御部４０は、具体的には、撮影制御部４１、撮影モード切替制御部（モード切替手段）４５、標識描画部（標識表示手段、通知手段）４６、および画像表示制御部４７を備える構成である。
【０１０１】
撮影制御部４１は、２眼カメラ部１０を制御して撮影画像を取得するものである。また、撮影制御部４１は、主撮像部１１において取り込まれる画像データを画像表示制御部４７に転送する。
【０１０２】
撮影制御部４１は、より詳細には、３Ｄ撮影モードの制御を行う３Ｄ撮影制御部４２、および２Ｄ撮影モードの制御を行う２Ｄ撮影制御部（平面画像撮像手段）４３を備える。
【０１０３】
３Ｄ撮影制御部４２は、３Ｄ撮影モードにおいて、撮像画像データを取得し、取得した撮像画像データから立体画像を生成するものである。
【０１０４】
３Ｄ撮影制御部４２は、次のようにして立体画像を生成する。まず、主撮像部１１および副撮像部１２を制御することで被写体を撮像して、主撮像部１１および副撮像部１２から、それぞれ左眼画像データおよび右眼画像データを受信する。
【０１０５】
続いて、３Ｄ撮影制御部４２は、左眼画像データに対して、右眼画像データを統合することにより立体画像データを生成する。すなわち、３Ｄ撮影制御部４２では、立体画像データの生成において、例示的に、左眼画像データを主、右眼画像データを従として取り扱っている。
【０１０６】
なお、２つの画像データを統合する手法については、従来技術、例えば、サイド・バイ・サイド方式等を採用可能である。３Ｄ撮影制御部４２は、生成した立体画像データを画像記憶部３１に記憶する。
【０１０７】
２Ｄ撮影制御部４３は、２Ｄ撮影モードにおいて、主撮像部１１を制御して撮影を行い、撮像により得られる平面画像データを主撮像部１１から取得する。２Ｄ撮影制御部４３は、取得した平面画像データを画像記憶部３１に記憶する。
【０１０８】
撮影モード切替制御部４５は、タッチパネル表示部２０における操作に応じて、撮影モードを、２Ｄ撮影モードおよび３Ｄ撮影モードの間で切り替えるものである。撮影モード切替制御部４５は、タッチパネル表示部２０から送信されるモード切替操作の操作データに応じて、撮影制御部４１に撮影モードの切替指示を送信する。
【０１０９】
標識描画部４６は、タッチパネル表示部２０の表示部２２において表示するための標識を描画するものである。
【０１１０】
標識とは、情報を表示するものであり、ユーザが上下の向きを区別可能に構成されているものである。標識の具体例としては、各種情報を表示するためのインジケータや、文字、図形、記号およびこれらの結合からなるアイコンなどで、上下の区別がつくものが挙げられる。また、標識の別の具体例としては、ヘルプや警告等の文字メッセージが挙げられる。また、アイコンを表す画像データや、文字メッセージを構成する文字情報等は、記憶部３０において記憶されていてもよい。
【０１１１】
標識描画部４６は、標識の表示画面における向きと配置とを決定する。標識の表示画面における向きとは、例えば、文字表示の向きである。また、標識の表示画面における配置とは、例えば、表示部２２の左上の座標を原点とする２次元座標表現のことである。
【０１１２】
なお、標識の配置は、あらかじめ定義されていてもよいし、ユーザの設定により変更可能になっていてもよい。
【０１１３】
標識描画部４６は、具体的には、表示制御設定記憶部３２に記憶されている表示制御設定に従って、所定の配置で、検知された携帯端末１の姿勢に応じて回転させたアイコンを含む標識画像データを生成する。また、標識描画部４６は、表示制御設定記憶部３２に記憶されている表示制御設定に従って、検知された携帯端末１の姿勢に応じて所定の位置に文字メッセージを含む標識画像データを生成する。
【０１１４】
標識描画部４６は、描画した標識画像データを画像表示制御部４７に送信する。
【０１１５】
画像表示制御部４７は、タッチパネル表示部２０の表示部２２における画面表示を制御するものである。画像表示制御部４７は、具体的には、撮影制御部４１から送信される画像データと、標識描画部４６から送信される標識の画像データとを合成して表示部２２に送信する。
【０１１６】
（画面表示の例）
ここで、図２を再び参照して、より具体的なタッチパネル表示部２０の表示画面の例について説明すると次のとおりである。
【０１１７】
図２の（ａ）、（ｃ）に示すタッチパネル表示部２０の表示画面には、標識描画部４６が生成する標識画像データに従って、例えば、次のような標識が表示される。同図に示すように、タッチパネル表示部２０の表示画面には、インジケータ部（標識）Ｄ１と、撮影ボタン（標識）ＢＴ１および２Ｄ／３Ｄモード切替ボタン（標識）ＢＴ２とが表示される。
【０１１８】
標識描画部４６は、インジケータ部Ｄ１において、携帯端末１のカメラ機能に関する各種情報を描画する。
【０１１９】
インジケータ部Ｄ１には、例示的に、３種類の設定情報と、電池残量とを表示することにしている。インジケータ部Ｄ１において示される３種類の設定情報は、左側から、解像度、シーン／フォーカス設定、撮影モードである。
【０１２０】
図２の（ａ）に、２Ｄ撮影モードにおけるインジケータ部Ｄ１の表示例を示す。すなわち、この場合、インジケータ部Ｄ１には、設定情報として、左側から“５Ｍ”、“ＳＴＤＡＵＴＯ”、および“２Ｄモード”が表示される。
【０１２１】
図２の（ｃ）に、３Ｄ撮影モードにおけるインジケータ部Ｄ１の表示例を示す。すなわち、この場合、インジケータ部Ｄ１には、設定情報として、左側から“ＦＵＬＬＨＤ”、“ＳＴＤＡＵＴＯ”、および“３Ｄモード”が表示される。
【０１２２】
撮影ボタンＢＴ１および２Ｄ／３Ｄモード切替ボタンＢＴ２は、カメラ機能を操作するためのソフトボタンである。
【０１２３】
撮影ボタンＢＴ１は、２Ｄ撮影モードおよび３Ｄ撮影モードのそれぞれにおいて、撮影制御部４１に静止画像を撮影する指示を行うためものものである。撮影ボタンＢＴ１内には、“撮影”というキャプションが示される。
【０１２４】
２Ｄ／３Ｄモード切替ボタンＢＴ２は、撮影モードの切り替えを、撮影モード切替制御部４５に行わせるためのものである。
【０１２５】
２Ｄ／３Ｄモード切替ボタンＢＴ２内には、３Ｄ撮影モードにおいては“２Ｄ切替”（図２の（ｃ）参照）というキャプション、２Ｄ撮影モードにおいては、“３Ｄ切替”（図２の（ａ）参照）というキャプションが示される。
【０１２６】
なお、図２の（ａ）および（ｃ）に示すように、撮影ボタンＢＴ１および２Ｄ／３Ｄモード切替ボタンＢＴ２は、キャプションの文字の向きにより上下左右を判別することができる。向き（上下左右）の判別の例として、文字の向きによる判別を示したが、これに限られず、向きの判別は、キャプションに矢印等の記号を付して、当該記号により行えるようにしてもよい。また、インジケータ部Ｄ１についても同様である。
【０１２７】
また、タッチパネル表示部２０の表示画面は２眼カメラ部１０が取り込んだ撮像画像を表示するカメラ画面Ｐ１を含む。
【０１２８】
なお、さらに各種操作・選択肢をメニューから選択するためのメニューボタンを表示画面において表示させてもかまわない。
【０１２９】
（処理の流れ）
次に、図４を用いて、携帯端末１における標識表示処理の流れの一例について説明する。図４は、携帯端末１における標識表示処理の流れの一例を示すフローチャートである。
【０１３０】
まず、標識描画部４６が、撮影モードを判定する（Ｓ１１）。撮影モード切替制御部４５により、撮影モードが２Ｄ撮影モードとなっている場合（Ｓ１１において２Ｄ）、姿勢検知部１３が携帯端末１の姿勢を検出する（Ｓ１２）。
【０１３１】
そして、標識描画部４６は、図３に示した静止画−２Ｄ−アイコン表示の表示制御設定に従って、携帯端末１の姿勢に応じたアイコンの描画を行う（Ｓ１３）。すなわち、携帯端末１の姿勢が、“ホーム”、“左９０度回転”、および“右９０度回転”のときは、アイコンの下方向が常に重力方向に合うようにアイコンを描画する。
【０１３２】
なお、“１８０度回転”のときは、“回転しない”が設定されているので直前のアイコンの向きが維持される。
【０１３３】
一方、撮影モード切替制御部４５により、撮影モードが３Ｄ撮影モードとなっている場合（Ｓ１１において３Ｄ）、標識描画部４６は、各姿勢で“回転しない”が設定されているので、携帯端末１の姿勢によらず、ホーム姿勢におけるアイコンの向きを維持したまま表示する（Ｓ１４）。その後、処理は終了する。
【０１３４】
（具体例）
図５および図６を用いて、２Ｄ撮影モードおよび３Ｄ撮影モードにおける画面表示の例を示す。
【０１３５】
［２Ｄ撮影モード］
まず、図５を用いて２Ｄ撮影モードにおける各姿勢での画面表示の例について示す。図５の（ａ）に携帯端末１の姿勢が“ホーム”である場合の画面表示の例を示している。
【０１３６】
カメラ画面Ｐ１には、主撮像部１１により取り込まれている画像が表示される。当該画像には被写体Ｘが映っている。
【０１３７】
また、タッチパネル表示部２０の表示画面には、撮影ボタンＢＴ１および２Ｄ／３Ｄモード切替ボタンＢＴ２が表示される。このとき、撮影ボタンＢＴ１および２Ｄ／３Ｄモード切替ボタンＢＴ２のボタン内に示されるキャプションの文字の向き、すなわち上下左右が、携帯端末１の上下左右（矢印Ｔ、Ｂ、Ｌ、およびＲ）と一致している。インジケータ部Ｄ１においても同様である。
【０１３８】
なお、撮影ボタンＢＴ１は、表示画面の下方中央に配置される。また、２Ｄ／３Ｄモード切替ボタンＢＴ２は、表示画面のやや上方の左側に配置される。
【０１３９】
以下、携帯端末１の姿勢を“ホーム”から回転させたときの画面表示の例について説明する。まず、図５の（ｂ）に、“ホーム”姿勢の携帯端末１を９０度右に回転させた姿勢における画面表示の例を示す。
【０１４０】
このとき、ユーザから見たキャプションの文字の向きが変わらないように、画面表示においてボタン等の向きを回転させる。すなわち、画面表示において撮影ボタンＢＴ１および２Ｄ／３Ｄモード切替ボタンＢＴ２内のキャプションの文字の向きを回転させる。インジケータ部Ｄ１の表示についても同様である。
【０１４１】
次に、図５の（ｃ）に、図５の（ｂ）の状態から、さらに９０度右に携帯端末１の姿勢を回転させた場合における画面表示の例を示す。すなわち、図５の（ｃ）に示す携帯端末１の姿勢は、“ホーム”姿勢から１８０度右に回転させた姿勢となっている。携帯端末１の下方向（矢印Ｂ）は、紙面上方向に向く。
【０１４２】
このとき、図３に示す静止画−２Ｄ−アイコン表示の表示制御設定“回転しない”に従って、直前の図５の（ｂ）に示した画面表示の状態を維持する。
【０１４３】
次に、図５の（ｄ）に、図５の（ｃ）の状態から、さらに９０度右に携帯端末１の姿勢を回転させた場合における画面表示の例を示す。すなわち、図５の（ｄ）に示す携帯端末１の姿勢は、“ホーム”姿勢から、２７０度右に回転させた姿勢となっている。あるいは、言い換えれば、図５の（ｄ）に示す携帯端末１の姿勢は、“ホーム”姿勢から、９０度左に携帯端末１の姿勢を回転した状態となっている。
【０１４４】
このとき、図３に示す静止画−２Ｄ−アイコン表示の表示制御設定“回転する”に従って、画面表示におけるボタン等の向きを回転させる。
【０１４５】
すなわち、ユーザから見たキャプションの文字の向きが変わらないように、画面表示において撮影ボタンＢＴ１および２Ｄ／３Ｄモード切替ボタンＢＴ２内のキャプションの文字の向きを回転させる。インジケータ部Ｄ１の表示についても同様である。
【０１４６】
図５の（ｄ）に示す携帯端末１の姿勢から、さらに９０度右に携帯端末１の姿勢を回転させれば、図５の（ａ）に示す携帯端末１の姿勢に戻る。
【０１４７】
［３Ｄ撮影モード］
図６を用いて３Ｄ撮影モードにおける各姿勢での画面表示の例について示す。図６の（ａ）に携帯端末１の姿勢が“ホーム”である場合の画面表示の例を示している。
【０１４８】
カメラ画面Ｐ１には、主撮像部１１により取り込まれている画像が表示される。当該画像には被写体Ｘが映っている。
【０１４９】
また、タッチパネル表示部２０の表示画面には、撮影ボタンＢＴ１および２Ｄ／３Ｄモード切替ボタンＢＴ２が表示される。このとき、撮影ボタンＢＴ１および２Ｄ／３Ｄモード切替ボタンＢＴ２のボタン内に示されるキャプションの文字の向き、すなわち上下左右が、携帯端末１の上下左右（矢印Ｔ、Ｂ、Ｌ、およびＲ）と一致している。インジケータ部Ｄ１においても同様である。
【０１５０】
なお、撮影ボタンＢＴ１および２Ｄ／３Ｄモード切替ボタンＢＴ２の配置は、図５の（ａ）に示した配置と同様である。すなわち、撮影ボタンＢＴ１は、表示画面の下方中央に配置される。また、２Ｄ／３Ｄモード切替ボタンＢＴ２は、表示画面のやや上方左側に配置される。
【０１５１】
以下、携帯端末１の姿勢を“ホーム”から回転させたときの画面表示の例について説明する。まず、図６の（ｂ）に、“ホーム”姿勢の携帯端末１を９０度右に回転させた姿勢における画面表示の例を示す。
【０１５２】
このとき、画面表示において“ホーム”姿勢における（図６の（ａ）参照）ボタン等の表示状態を維持する。この結果、ユーザからは、ボタン等の表示状態は、携帯端末１の回転に伴って右に９０度回転したように見える。インジケータ部Ｄ１の表示についても同様である。
【０１５３】
なお、ユーザから見たカメラ画面Ｐ１における被写体Ｘの見え方は、図６の（ａ）に示す場合と同じである。
【０１５４】
次に、図６の（ｃ）に、図６の（ｂ）の状態から、さらに９０度右に携帯端末１の姿勢を回転させた場合における画面表示の例を示す。すなわち、図６の（ｃ）に示す携帯端末１の姿勢は、“ホーム”姿勢から１８０度右に回転させた姿勢となっている。
【０１５５】
この場合においても、画面表示において“ホーム”姿勢における（図６の（ａ）参照）ボタン等の表示状態を維持する。この結果、ユーザからは、ボタン等の向きは、“ホーム”姿勢における向きと上下が逆になっているように見える。
【０１５６】
次に、図６の（ｄ）に、図６の（ｃ）の状態から、さらに９０度右に携帯端末１の姿勢を回転させた場合における画面表示の例を示す。すなわち、図６の（ｄ）に示す携帯端末１の姿勢は、“ホーム”姿勢から、２７０度右に回転させた姿勢となっている。あるいは、言い換えれば、図６の（ｄ）に示す携帯端末１の姿勢は、“ホーム”姿勢から、９０度左に携帯端末１の姿勢を回転した状態となっている。
【０１５７】
この場合においても、画面表示において“ホーム”姿勢における（図６の（ａ）参照）ボタン等の表示状態を維持する。
【０１５８】
図６の（ｄ）に示す携帯端末１の姿勢から、さらに９０度右に携帯端末１の姿勢を回転させれば、図６の（ａ）に示す携帯端末１の姿勢に戻る。
【０１５９】
（作用・効果）
以上に示したように、携帯端末１では、立体画像を生成するための右眼画像および左眼画像を撮像する２つの撮像部である主撮像部１１および副撮像部１２を備える携帯端末１において、自装置の姿勢が、主撮像部１１および副撮像部１２による上記右眼画像および上記左眼画像の撮像ができる“ホーム”姿勢であるか否かを検知する姿勢検知部１３と、向きを判別可能な標識の画面表示を行う標識描画部４６と、姿勢検知部１３が検知する姿勢に応じて、標識描画部４６が画面表示における標識の表示の向きを変更する２Ｄ撮影モードと、標識描画部４６が画面表示における標識の表示の向きを、“ホーム”姿勢において表示する向きに維持する３Ｄ撮影モードとを切り替える撮影モード切替制御部４５とを備え、撮影モード切替制御部４５は、主撮像部１１および副撮像部１２による上記右眼画像および上記左眼画像の撮像を行う際に、３Ｄ撮影モードに切り替える構成である。
【０１６０】
よって、３Ｄ撮影モードにおいて、上下または左右の区別がある立体画像を撮像する時に、携帯端末１の姿勢の上下左右を標識の画面表示によりユーザに認識させることができるという効果を奏する。
【０１６１】
（変形例）
以下において、携帯端末１の好ましい変形例について説明する。
【０１６２】
［警告メッセージの通知］
図７を用いて、警告メッセージの通知の例について説明する。図７は、３Ｄ撮影モードにおいて携帯端末１の姿勢が上下逆となっている場合に、警告メッセージを通知させる例について示す図である。
【０１６３】
図７に示すように、図６の（ｃ）に示した携帯端末１の姿勢において、“端末を上下逆に持っています”というような警告メッセージ（警告通知）ＭＳＧ１を通知してもよい。
【０１６４】
また、この場合、例えば、図３に示した表示制御設定において、静止画−３Ｄ−メッセージ表示の姿勢“１８０度回転”に“する”を定義しておく。
【０１６５】
これにより、ボタン等の向きが上下逆となっているのに加えて、警告メッセージにより、携帯端末１の姿勢の上下逆になっていることをユーザに認識させることができる。
【０１６６】
なお、図７に示す状態においても、撮影ボタンＢＴ１による撮影が可能になっていることがより好ましい。携帯端末１の姿勢が上下逆になっている場合の画像を意図的に撮影しようとしている場合もあるからである。
【０１６７】
また、図７に示す状態で、撮影ボタンＢＴ１により撮影が行われた場合、警告メッセージを非表示にしてもかまわない。携帯端末１の姿勢が上下逆になっている状態において、ユーザが意図的に撮影を行ったことが想定されるからである。
【０１６８】
さらに、撮影終了時または所定時間経過後、再び警告メッセージＭＳＧ１を通知してもかまわない。
【０１６９】
また、文字列による警告メッセージＭＳＧ１に加えて、音声により警告を行ってもよい。
【０１７０】
［動画像撮影時の画面表示について］
以上の説明では、静止画像の撮影時の画面表示について説明してきた。しかしながら、これに限られず、動画像撮影時において、上述の画面表示を行うことも可能である。
【０１７１】
図８を用いて、動画像撮影時における各姿勢での画面表示の例について説明すると以下のとおりである。なお、以下の説明では、３Ｄの動画像を撮影するモードについて例示的に説明する。よって、図３に示す動画−３Ｄの表示制御設定が適用される。
【０１７２】
図８の（ａ）に携帯端末１の姿勢が“ホーム”である場合の画面表示の例を示している。
タッチパネル表示部２０の表示画面には、動画撮影アイコンＩＣ０１およびおよび２Ｄ／３Ｄモード切替ボタンＢＴ２が表示される。
【０１７３】
動画撮影アイコンＩＣ０１は、動画像撮影モードであることを示すアイコンである。動画撮影アイコンＩＣ０１は、表示画面の下方に配置される。
【０１７４】
また、２Ｄ／３Ｄモード切替ボタンＢＴ２は、動画像撮影における２Ｄ撮影モードおよび３Ｄ撮影モードを切り替えるものである。２Ｄ／３Ｄモード切替ボタンＢＴ２は、表示画面の左側に配置される。２Ｄ／３Ｄモード切替ボタンＢＴ２内には、“２Ｄ切替”というキャプションが示される。
【０１７５】
また、２Ｄ／３Ｄモード切替ボタンＢＴ２のボタン内に示されるキャプションの文字の向き、すなわち上下左右は、携帯端末１の上下左右（矢印Ｔ、Ｂ、Ｌ、およびＲ）と一致している。
【０１７６】
以下、携帯端末１の姿勢を“ホーム”から回転させたときの画面表示の例について説明する。まず、図８の（ｂ）に、“ホーム”姿勢の携帯端末１を９０度右に回転させた姿勢における画面表示の例を示す。
【０１７７】
このとき、画面表示において“ホーム”姿勢における（図８の（ａ）参照）ボタン等の表示状態を維持する。この結果、ユーザからは、ボタン等の表示状態は、携帯端末１の回転に伴って右に９０度回転したように見える。インジケータ部Ｄ１の表示についても同様である。
【０１７８】
なお、動画撮影アイコンＩＣ０１は、ユーザから見た向きが変わらないように、姿勢の回転に応じて画面表示上の向きを回転している。
【０１７９】
次に、図８の（ｃ）に、図８の（ｂ）の状態から、さらに９０度右に携帯端末１の姿勢を回転させた場合における画面表示の例を示す。すなわち、図８の（ｃ）に示す携帯端末１の姿勢は、“ホーム”姿勢から１８０度右に回転させた姿勢となっている。
【０１８０】
この場合においても、画面表示において“ホーム”姿勢における（図８の（ａ）参照）ボタン等の表示状態を維持する。この結果、ユーザからは、ボタン等の向きは、“ホーム”姿勢における向きと上下が逆になっているように見える。
【０１８１】
なお、動画撮影アイコンＩＣ０１は、ユーザから見た向きが変わらないように、姿勢の回転に応じて画面表示上の向きを回転している。
【０１８２】
さらに、図３に示す表示制御設定の姿勢“１８０度回転”において動画−３Ｄ−メッセージ表示“する”と定義されているため、図８の（ｃ）に示す姿勢では、当該定義に従い、警告メッセージ（警告通知）ＭＳＧ２を通知する。警告メッセージＭＳＧ２の内容は、上述の警告メッセージＭＳＧ１と同様である。
【０１８３】
次に、図８の（ｄ）に、図８の（ｃ）の状態から、さらに９０度右に携帯端末１の姿勢を回転させた場合における画面表示の例を示す。すなわち、図８の（ｄ）に示す携帯端末１の姿勢は、“ホーム”姿勢から、２７０度右に回転させた姿勢となっている。あるいは、言い換えれば、図８の（ｄ）に示す携帯端末１の姿勢は、“ホーム”姿勢から、９０度左に携帯端末１の姿勢を回転した状態となっている。
【０１８４】
この場合においても、画面表示において“ホーム”姿勢における（図８の（ａ）参照）２Ｄ／３Ｄモード切替ボタンＢＴ２の表示状態を維持する。
【０１８５】
なお、動画撮影アイコンＩＣ０１は、ユーザから見た向きが変わらないように、姿勢の回転に応じて画面表示上の向きを回転している。
【０１８６】
図８の（ｄ）に示す携帯端末１の姿勢から、さらに９０度右に携帯端末１の姿勢を回転させれば、図８の（ａ）に示す携帯端末１の姿勢に戻る。
【０１８７】
［ボタン等の表示位置の変形例］
図９〜図１２を用いて、標識描画部４６が描画するボタン等の表示位置の好ましい変形例について説明する。
【０１８８】
［１］２Ｄの場合
図９を用いて、２Ｄ撮影モードにおけるボタン等の表示位置の変形例について説明すると次のとおりである。
【０１８９】
なお、図９では、説明の便宜上、カメラ画面Ｐ１およびインジケータ部Ｄ１の表記は省略している。また、以下では、図３に示す表示制御設定において静止画−２Ｄ−アイコン表示の姿勢“１８０度回転”に、“回転する”を定義しておくものとする。
【０１９０】
本変形例では、標識描画部４６が、撮影ボタンＢＴ１を、携帯端末１の姿勢によらず、ユーザから見て表示画面の右上に配置するとともに、文字の向きをユーザから見て同じ方向に見えるようにする。以下、図９の（ａ）〜（ｄ）を参照して具体的に説明する。
【０１９１】
まず、図９の（ａ）に携帯端末１の姿勢が“ホーム”である場合の画面表示の変形例を示す。
【０１９２】
また、タッチパネル表示部２０の表示画面には、撮影ボタンＢＴ１および２Ｄ／３Ｄモード切替ボタンＢＴ２が表示される。
【０１９３】
撮影ボタンＢＴ１および２Ｄ／３Ｄモード切替ボタンＢＴ２のキャプションは、それぞれ、例示的に“撮影”および“３Ｄ切替”としている。
【０１９４】
このとき、撮影ボタンＢＴ１および２Ｄ／３Ｄモード切替ボタンＢＴ２のボタン内に示されるキャプションの文字の向き、すなわち上下左右が、携帯端末１の上下左右（矢印Ｔ、Ｂ、Ｌ、およびＲ）と一致している。
【０１９５】
なお、撮影ボタンＢＴ１は、表示画面の右上に配置される。また、２Ｄ／３Ｄモード切替ボタンＢＴ２は、表示画面の左側中央に配置される。
【０１９６】
このように、撮影ボタンＢＴ１を、ユーザから見て表示画面の右上に配置することで、ユーザが右手による操作で撮影ボタンＢＴ１をタッチしやすいようにしている。もちろんこれに限られず左手による操作でタッチしやすいように、上記と逆の配置としてもかまわない。また、設定により左右の位置を入れ替えることができるように構成してもよい。
【０１９７】
以下、携帯端末１の姿勢を“ホーム”から回転させたときの画面表示の例について説明する。まず、図９の（ｂ）に、“ホーム”姿勢の携帯端末１を９０度右に回転させた姿勢における画面表示の例を示す。
【０１９８】
このとき、ユーザから見たキャプションの文字の向きが変わらないように、画面表示においてボタン等の向きを回転させる。すなわち、画面表示において撮影ボタンＢＴ１および２Ｄ／３Ｄモード切替ボタンＢＴ２内のキャプションの文字の向きを回転させる。
【０１９９】
さらに、撮影ボタンＢＴ１は、ユーザから見て表示画面の右上に配置される。また、２Ｄ／３Ｄモード切替ボタンＢＴ２は、ユーザから見て表示画面の左側中央に配置される。
【０２００】
このように、携帯端末１の姿勢が９０度右に回転しても、ユーザから見た撮影ボタンＢＴ１および２Ｄ／３Ｄモード切替ボタンＢＴ２の位置関係は変わらない。また、このため、ユーザが右手による操作で撮影ボタンＢＴ１をタッチしやすいようになっている。
【０２０１】
次に、図９の（ｃ）に、図９の（ｂ）の状態から、さらに９０度右に携帯端末１の姿勢を回転させた場合における画面表示の例を示す。すなわち、図９の（ｃ）に示す携帯端末１の姿勢は、“ホーム”姿勢から１８０度右に回転させた姿勢となっている。携帯端末１の下方向（矢印Ｂ）は、紙面上方向に向く。
【０２０２】
このとき、静止画−２Ｄ−アイコン表示の表示制御設定“回転する”に従って、画面表示におけるボタン等の向きを回転させる。
【０２０３】
また、撮影ボタンＢＴ１は、ユーザから見て表示画面の右上に配置される。また、２Ｄ／３Ｄモード切替ボタンＢＴ２は、ユーザから見て表示画面の左側中央に配置される。
【０２０４】
次に、図９の（ｄ）に、図９の（ｃ）の状態から、さらに９０度右に携帯端末１の姿勢を回転させた場合における画面表示の例を示す。すなわち、図９の（ｄ）に示す携帯端末１の姿勢は、“ホーム”姿勢から、２７０度右に回転させた姿勢となっている。あるいは、言い換えれば、図９の（ｄ）に示す携帯端末１の姿勢は、“ホーム”姿勢から、９０度左に携帯端末１の姿勢を回転した状態となっている。
【０２０５】
このとき、図３に示す静止画−２Ｄ−アイコン表示の表示制御設定“回転する”に従って、画面表示におけるボタン等の向きを回転させる。
【０２０６】
すなわち、ユーザから見たキャプションの文字の向きが変わらないように、画面表示において撮影ボタンＢＴ１および２Ｄ／３Ｄモード切替ボタンＢＴ２内のキャプションの文字の向きを回転させる。
【０２０７】
また、撮影ボタンＢＴ１は、ユーザから見て表示画面の右上に配置される。また、２Ｄ／３Ｄモード切替ボタンＢＴ２は、ユーザから見て表示画面の左側中央に配置される。
【０２０８】
図９の（ｄ）に示す携帯端末１の姿勢から、さらに９０度右に携帯端末１の姿勢を回転させれば、図９の（ａ）に示す携帯端末１の姿勢に戻る。
【０２０９】
本変形例によれば、撮影ボタンＢＴ１は、携帯端末１の姿勢によらず、ユーザから見て表示画面の右上に配置される。このため、携帯端末１の姿勢によらず、ユーザが右手による操作で撮影ボタンＢＴ１をタッチしやすいようになっている。
【０２１０】
［２］３Ｄの場合
続いて、図１０〜１２を用いて、３Ｄ撮影モードにおけるボタン等の表示位置の変形例１〜３について説明すると次のとおりである。
【０２１１】
［変形例１］
変形例１では、図１０を用いて“ホーム”姿勢における操作の便宜を図る構成例について説明する。図１０は、３Ｄ撮影モードにおける各姿勢での画面表示の一変形例について示す図である。なお、図１０では、説明の便宜上、カメラ画面Ｐ１およびインジケータ部Ｄ１の表記は省略している。
【０２１２】
本変形例では、標識描画部４６が、“ホーム”姿勢において撮影ボタンＢＴ１をユーザから見て表示画面の右上に配置する。また、標識描画部４６が、携帯端末１の姿勢によらず、“ホーム”姿勢における撮影ボタンＢＴ１の位置を維持する。以下、図１０の（ａ）〜（ｄ）を参照して具体的に説明する。
【０２１３】
図１０の（ａ）に携帯端末１の姿勢が“ホーム”である場合の画面表示の例を示す。図１０の（ａ）に示すように、タッチパネル表示部２０の表示画面には、撮影ボタンＢＴ１および２Ｄ／３Ｄモード切替ボタンＢＴ２が表示される。
【０２１４】
撮影ボタンＢＴ１および２Ｄ／３Ｄモード切替ボタンＢＴ２のキャプションは、それぞれ、例示的に“撮影”および“３Ｄ切替”としている。
【０２１５】
このとき、撮影ボタンＢＴ１および２Ｄ／３Ｄモード切替ボタンＢＴ２のボタン内に示されるキャプションの文字の向き、すなわち上下左右が、携帯端末１の上下左右（矢印Ｔ、Ｂ、Ｌ、およびＲ）と一致している。
【０２１６】
なお、撮影ボタンＢＴ１および２Ｄ／３Ｄモード切替ボタンＢＴ２の配置は、図９の（ａ）に示した配置と同様である。すなわち、撮影ボタンＢＴ１は、表示画面の右上に配置される。また、２Ｄ／３Ｄモード切替ボタンＢＴ２は、表示画面の左側中央に配置される。
【０２１７】
このように、撮影ボタンＢＴ１を、ユーザから見て表示画面の右上に配置することで、ユーザが右手による操作で撮影ボタンＢＴ１をタッチしやすいようにしている。
【０２１８】
以下、携帯端末１の姿勢を“ホーム”から回転させたときの画面表示の例について説明する。まず、図１０の（ｂ）に、“ホーム”姿勢の携帯端末１を９０度右に回転させた姿勢における画面表示の例を示す。
【０２１９】
このとき、画面表示において“ホーム”姿勢における（図１０の（ａ）参照）ボタン等の表示状態を維持する。この結果、ユーザからは、ボタン等の表示状態は、携帯端末１の回転に伴って右に９０度回転したように見える。これにより、撮影ボタンＢＴ１は、ユーザから見て表示画面の右下に配置される。
【０２２０】
次に、図１０の（ｃ）に、図１０の（ｂ）の状態から、さらに９０度右に携帯端末１の姿勢を回転させた場合における画面表示の例を示す。すなわち、図１０の（ｃ）に示す携帯端末１の姿勢は、“ホーム”姿勢から１８０度右に回転させた姿勢となっている。
【０２２１】
この場合においても、画面表示において“ホーム”姿勢における（図１０の（ａ）参照）ボタン等の表示状態を維持する。この結果、ユーザからは、ボタン等の向きは、“ホーム”姿勢における向きと上下が逆になっているように見える。これにより、撮影ボタンＢＴ１は、ユーザから見て表示画面の左下に配置される。
【０２２２】
次に、図１０の（ｄ）に、図１０の（ｃ）の状態から、さらに９０度右に携帯端末１の姿勢を回転させた場合における画面表示の例を示す。すなわち、図１０の（ｄ）に示す携帯端末１の姿勢は、“ホーム”姿勢から、２７０度右に回転させた姿勢となっている。あるいは、言い換えれば、図１０の（ｄ）に示す携帯端末１の姿勢は、“ホーム”姿勢から、９０度左に携帯端末１の姿勢を回転した状態となっている。
【０２２３】
この場合においても、画面表示において“ホーム”姿勢における（図１０の（ａ）参照）ボタン等の表示状態を維持する。撮影ボタンＢＴ１は、ユーザから見て表示画面の左上に配置される。
【０２２４】
図１０の（ｄ）に示す携帯端末１の姿勢から、さらに９０度右に携帯端末１の姿勢を回転させれば、図１０の（ａ）に示す携帯端末１の姿勢に戻る。
【０２２５】
本変形例では、携帯端末１の姿勢が“ホーム”であるとき、撮影ボタンＢＴ１が、ユーザから見て表示画面の右上に配置される。よって、携帯端末１の姿勢が“ホーム”であるとき、ユーザが右手による操作で撮影ボタンＢＴ１をタッチしやすいようになっている。
【０２２６】
携帯端末１の姿勢が“ホーム”でないときは、“ホーム”であるときよりも比較的、右手による操作がしにくくなるので、ユーザに対して、携帯端末１の姿勢が“ホーム”でないことを強調することができる。
【０２２７】
［変形例２］
変形例２では、図１１を用いて、各姿勢における操作の便宜を図る構成例について説明する。図１１は、３Ｄ撮影モードにおける各姿勢での画面表示の他の変形例について示す図である。なお、図１１では、説明の便宜上、カメラ画面Ｐ１およびインジケータ部Ｄ１の表記は省略している。
【０２２８】
本変形例では、標識描画部４６が、撮影ボタンＢＴ１を、携帯端末１の姿勢によらず、ユーザから見て表示画面の右上に配置するとともに、撮影ボタンＢＴ１の文字の向きを“ホーム姿勢”における向きに維持する。換言すれば、標識描画部４６が、撮影ボタンＢＴ１を、携帯端末１の姿勢に応じて、タッチパネル部２０の表示画面上の配置を変更するとともに、撮影ボタンＢＴ１の文字の向きを“ホーム姿勢”における向きに維持する。
【０２２９】
以下、図１１の（ａ）〜（ｄ）を参照して具体的に説明する。
【０２３０】
図１１の（ａ）に携帯端末１の姿勢が“ホーム”である場合の画面表示の例を示す。画面表示に表示される撮影ボタンＢＴ１および２Ｄ／３Ｄモード切替ボタンＢＴ２のキャプションおよび配置は、図１０の（ａ）に示す例と同様であるので、ここではその説明については省略する。
【０２３１】
以下、携帯端末１の姿勢を“ホーム”から回転させたときの画面表示の例について説明する。まず、図１１の（ｂ）に、“ホーム”姿勢の携帯端末１を９０度右に回転させた姿勢における画面表示の例を示す。
【０２３２】
このとき、画面表示において“ホーム”姿勢における（図１１の（ａ）参照）撮影ボタンＢＴ１および２Ｄ／３Ｄモード切替ボタンＢＴ２のキャプションの向きを維持する。この結果、ユーザからは、撮影ボタンＢＴ１および２Ｄ／３Ｄモード切替ボタンＢＴ２のキャプションの向きは、携帯端末１の回転に伴って右に９０度回転したように見える。
【０２３３】
一方、撮影ボタンＢＴ１および２Ｄ／３Ｄモード切替ボタンＢＴ２の配置については、ユーザから見て相対的な位置関係が、“ホーム”姿勢の場合と変わらないように表示される。すなわち、撮影ボタンＢＴ１は、ユーザから見て表示画面の右上に配置される。また、２Ｄ／３Ｄモード切替ボタンＢＴ２は、ユーザから見て表示画面の左側中央に配置される。
【０２３４】
このように、携帯端末１の姿勢が“ホーム”から右に９０度回転しても、ユーザから見た撮影ボタンＢＴ１および２Ｄ／３Ｄモード切替ボタンＢＴ２の位置関係は変わらない。また、このため、ユーザが右手による操作で撮影ボタンＢＴ１をタッチしやすいようになっている。
【０２３５】
次に、図１１の（ｃ）に、図１１の（ｂ）の状態から、さらに９０度右に携帯端末１の姿勢を回転させた場合における画面表示の例を示す。すなわち、図１１の（ｃ）に示す携帯端末１の姿勢は、“ホーム”姿勢から１８０度右に回転させた姿勢となっている。
【０２３６】
この場合においても、画面表示において“ホーム”姿勢における（図１１の（ａ）参照）撮影ボタンＢＴ１および２Ｄ／３Ｄモード切替ボタンＢＴ２のキャプションの向きを維持する。
【０２３７】
この結果、ユーザからは、撮影ボタンＢＴ１および２Ｄ／３Ｄモード切替ボタンＢＴ２のキャプションの向きが、“ホーム”姿勢における向きと上下逆になっているように見える。
【０２３８】
一方、撮影ボタンＢＴ１および２Ｄ／３Ｄモード切替ボタンＢＴ２の配置については、ユーザから見て相対的な位置関係が、“ホーム”姿勢の場合と変わらないように表示される。すなわち、撮影ボタンＢＴ１は、ユーザから見て表示画面の右上に配置される。また、２Ｄ／３Ｄモード切替ボタンＢＴ２は、ユーザから見て表示画面の左側中央に配置される。
【０２３９】
次に、図１１の（ｄ）に、図１１の（ｃ）の状態から、さらに９０度右に携帯端末１の姿勢を回転させた場合における画面表示の例を示す。すなわち、図１１の（ｄ）に示す携帯端末１の姿勢は、“ホーム”姿勢から、２７０度右に回転させた姿勢となっている。あるいは、言い換えれば、図１１の（ｄ）に示す携帯端末１の姿勢は、“ホーム”姿勢から、９０度左に携帯端末１の姿勢を回転した状態となっている。
【０２４０】
この場合においても、画面表示において“ホーム”姿勢における（図１１の（ａ）参照）撮影ボタンＢＴ１および２Ｄ／３Ｄモード切替ボタンＢＴ２のキャプションの向きを維持する。
【０２４１】
一方、撮影ボタンＢＴ１および２Ｄ／３Ｄモード切替ボタンＢＴ２の配置については、ユーザから見て相対的な位置関係が、“ホーム”姿勢の場合と変わらないように表示される。すなわち、撮影ボタンＢＴ１は、ユーザから見て表示画面の右上に配置される。また、２Ｄ／３Ｄモード切替ボタンＢＴ２は、ユーザから見て表示画面の左側中央に配置される。
【０２４２】
図１１の（ｄ）に示す携帯端末１の姿勢から、さらに９０度右に携帯端末１の姿勢を回転させれば、図１１の（ａ）に示す携帯端末１の姿勢に戻る。
【０２４３】
本変形例では、携帯端末１の各姿勢において、撮影ボタンＢＴ１が、ユーザから見て表示画面の右上に配置される。よって、携帯端末１の各姿勢において、ユーザが右手による操作で撮影ボタンＢＴ１をタッチしやすいようになっている。
【０２４４】
［変形例３］
変形例３では、図１２を用いて、各姿勢において撮影ボタンＢＴ１をユーザから見ても、標識描画部４６からみても同じ位置に表示する構成例について説明する。図１２は、３Ｄ撮影モードにおける各姿勢での画面表示のさらに他の変形例について示す図である。なお、図１２では、説明の便宜上、カメラ画面Ｐ１およびインジケータ部Ｄ１の表記は省略している。
【０２４５】
本変形例では、標識描画部４６が、撮影ボタンＢＴ１を、携帯端末１の姿勢によらず、表示画面の中央に配置するとともに、撮影ボタンＢＴ１の文字の向きを“ホーム姿勢”における向きに維持する。以下、図１２の（ａ）〜（ｄ）を参照して具体的に説明する。
【０２４６】
図１２の（ａ）に携帯端末１の姿勢が“ホーム”である場合の画面表示の例を示す。図１２の（ａ）に示すように、タッチパネル表示部２０の表示画面には、撮影ボタンＢＴ１および２Ｄ／３Ｄモード切替ボタンＢＴ２が表示される。
【０２４７】
撮影ボタンＢＴ１および２Ｄ／３Ｄモード切替ボタンＢＴ２のキャプションは、それぞれ、例示的に“撮影”および“３Ｄ切替”としている。
【０２４８】
このとき、撮影ボタンＢＴ１および２Ｄ／３Ｄモード切替ボタンＢＴ２のボタン内に示されるキャプションの文字の向き、すなわち上下左右が、携帯端末１の上下左右（矢印Ｔ、Ｂ、Ｌ、およびＲ）と一致している。
【０２４９】
撮影ボタンＢＴ１は、表示画面の中央に配置される。また、また、２Ｄ／３Ｄモード切替ボタンＢＴ２は、表示画面の左側中央に配置される。
【０２５０】
以下、携帯端末１の姿勢を“ホーム”から回転させたときの画面表示の例について説明する。まず、図１２の（ｂ）に、“ホーム”姿勢の携帯端末１を９０度右に回転させた姿勢における画面表示の例を示す。
【０２５１】
このとき、画面表示において“ホーム”姿勢における（図１２の（ａ）参照）撮影ボタンＢＴ１および２Ｄ／３Ｄモード切替ボタンＢＴ２のキャプションの向きを維持する。この結果、ユーザからは、撮影ボタンＢＴ１および２Ｄ／３Ｄモード切替ボタンＢＴ２のキャプションの向きは、携帯端末１の回転に伴って右に９０度回転したように見える。
【０２５２】
一方、撮影ボタンＢＴ１および２Ｄ／３Ｄモード切替ボタンＢＴ２の配置については、ユーザから見て相対的な位置関係が、“ホーム”姿勢の場合と変わらないように表示される。すなわち、撮影ボタンＢＴ１は、ユーザから見て表示画面の中央に配置される。
【０２５３】
さらに言えば、標識描画部４６は、“ホーム”姿勢の場合と、表示画面上、同じ位置に、撮影ボタンＢＴ１を配置する。
また、２Ｄ／３Ｄモード切替ボタンＢＴ２は、ユーザから見て表示画面の左側中央に配置される。
【０２５４】
次に、図１２の（ｃ）に、図１２の（ｂ）の状態から、さらに９０度右に携帯端末１の姿勢を回転させた場合における画面表示の例を示す。すなわち、図１２の（ｃ）に示す携帯端末１の姿勢は、“ホーム”姿勢から１８０度右に回転させた姿勢となっている。
【０２５５】
この場合においても、画面表示において“ホーム”姿勢における（図１２の（ａ）参照）撮影ボタンＢＴ１および２Ｄ／３Ｄモード切替ボタンＢＴ２のキャプションの向きを維持する。
【０２５６】
この結果、ユーザからは、撮影ボタンＢＴ１および２Ｄ／３Ｄモード切替ボタンＢＴ２のキャプションの向きが、“ホーム”姿勢における向きと上下逆になっているように見える。
【０２５７】
一方、撮影ボタンＢＴ１および２Ｄ／３Ｄモード切替ボタンＢＴ２の配置については、ユーザから見て相対的な位置関係が、“ホーム”姿勢の場合と変わらないように表示される。すなわち、撮影ボタンＢＴ１は、ユーザから見て表示画面の右上に配置される。また、２Ｄ／３Ｄモード切替ボタンＢＴ２は、ユーザから見て表示画面の左側中央に配置される。
【０２５８】
さらに言えば、標識描画部４６は、“ホーム”姿勢の場合と、表示画面上、同じ位置に、撮影ボタンＢＴ１を配置する。
【０２５９】
次に、図１２の（ｄ）に、図１２の（ｃ）の状態から、さらに９０度右に携帯端末１の姿勢を回転させた場合における画面表示の例を示す。すなわち、図１２の（ｄ）に示す携帯端末１の姿勢は、“ホーム”姿勢から、２７０度右に回転させた姿勢となっている。あるいは、言い換えれば、図１２の（ｄ）に示す携帯端末１の姿勢は、“ホーム”姿勢から、９０度左に携帯端末１の姿勢を回転した状態となっている。
【０２６０】
この場合においても、画面表示において“ホーム”姿勢における（図１２の（ａ）参照）撮影ボタンＢＴ１および２Ｄ／３Ｄモード切替ボタンＢＴ２のキャプションの向きを維持する。
【０２６１】
一方、撮影ボタンＢＴ１および２Ｄ／３Ｄモード切替ボタンＢＴ２の配置については、ユーザから見て相対的な位置関係が、“ホーム”姿勢の場合と変わらないように表示される。すなわち、撮影ボタンＢＴ１は、ユーザから見て表示画面の右上に配置される。また、２Ｄ／３Ｄモード切替ボタンＢＴ２は、ユーザから見て表示画面の左側中央に配置される。
【０２６２】
さらに言えば、標識描画部４６は、“ホーム”姿勢の場合と、表示画面上、同じ位置に、撮影ボタンＢＴ１を配置する。
【０２６３】
図１２の（ｄ）に示す携帯端末１の姿勢から、さらに９０度右に携帯端末１の姿勢を回転させれば、図１２の（ａ）に示す携帯端末１の姿勢に戻る。
【０２６４】
本変形例では、携帯端末１の各姿勢によらず、撮影ボタンＢＴ１が、ユーザから見て表示画面における同じ位置に配置される。また、標識描画部４６は、携帯端末１の各姿勢によらず、撮影ボタンＢＴ１を、表示画面において、“ホーム”姿勢の場合と同じ位置に配置する。
【０２６５】
［その他の変形例］
なお、変形例１〜３を次のとおり変更することも可能である。すなわち、図１０の（ｃ）、図１１の（ｃ）、および図１２の（ｃ）に示す姿勢において、携帯端末１の姿勢が上下逆であることを示す警告メッセージを通知してもかまわない。
【０２６６】
また、例えば、２Ｄ撮影モードにおいて上記変形例を適用し、３Ｄ撮影モードにおいて上記変形例１を適用する場合、次のことが想定される。
【０２６７】
すなわち、図９の（ｃ）に示す姿勢において、ユーザが、２Ｄ／３Ｄモード切替ボタンＢＴ２による撮影モード切替を行った場合、表示画面は、図１０の（ｃ）に示す状態となる。
【０２６８】
このとき、２Ｄ／３Ｄモード切替ボタンＢＴ２の配置は、撮影モード切替前には、ユーザから見て表示画面の左側中央であるが、撮影モード切替後には、ユーザから見て表示画面の右側中央になる。
【０２６９】
よって、ユーザが、３Ｄ撮影モードから、再び２Ｄ撮影モードに撮影モード切替を行おうとする場合、２Ｄ／３Ｄモード切替ボタンＢＴ２の位置が認識しにくい可能性がある。
【０２７０】
このような場合における撮影モード切替の便宜を図るために以下のとおり携帯端末１を構成変更してもかまわない。
【０２７１】
まず、図１３に示すように、２Ｄ／３Ｄモード切替ボタンＢＴ２をグレイアウト表示（同図では、点線にて表記）するなどして、撮影モード切替後、２Ｄ／３Ｄモード切替ボタンＢＴ２の配置が変わることを示してもよい。また、さらに、２Ｄ／３Ｄモード切替ボタンＢＴ２による撮影モード切替を禁止してもよい。
【０２７２】
また、２Ｄ／３Ｄモード切替ボタンＢＴ２による撮影モード切替に加えて、タッチパネル表示部２０におけるフリック操作等により撮影モード切替を受け付けてもかまわない。また、携帯端末１の揺れを姿勢検知部１３において検知し、撮影モード切替を行ってもかまわない。
【０２７３】
［各ブロックの実現方式について］
また、上述した携帯端末１の各ブロックは、集積回路（ＩＣチップ）上に形成された論理回路によってハードウェア的に実現してもよいし、ＣＰＵ（Central Processing Unit）を用いてソフトウェア的に実現してもよい。
【０２７４】
後者の場合、上記各装置は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである上記各装置の制御プログラムのプログラムコード（実行形式プログラム、中間コードプログラム、ソースプログラム）をコンピュータで読み取り可能に記録した記録媒体を、上記各装置に供給し、そのコンピュータ（またはＣＰＵやＭＰＵ）が記録媒体に記録されているプログラムコードを読み出し実行することによっても、達成可能である。
【０２７５】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ／ブルーレイディスク（登録商標）等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０２７６】
また、上記各装置を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０２７７】
本発明は、２眼カメラ部およびタッチパネル表示部を備えるスマートフォン等に利用することができる。
【符号の説明】
【０２７８】
１  携帯端末（２眼撮像装置）
１０  ２眼カメラ部（２つの撮像部）
１１  主撮像部（撮像部）
１２  副撮像部（撮像部）
１３  姿勢検知部（姿勢検知手段）
２０  タッチパネル表示部（標識表示手段）
２１  操作部
２２  表示部（標識表示手段）
４０  制御部
４１  撮影制御部
４２  ３Ｄ撮影制御部
４３  ２Ｄ撮影制御部（平面画像撮像手段）
４５  撮影モード切替制御部（モード切替手段）
４６  標識描画部（標識表示手段、通知手段）
４７  画像表示制御部
５０  制御部
Ｄ１  インジケータ部（標識）
ＢＴ１  撮影ボタン（標識）
ＢＴ２  ３Ｄモード切替ボタン（標識）
ＭＳＧ１、ＭＳＧ２  警告メッセージ（警告通知）
【図１】
0005766019.tif 000002
【図２】
0005766019.tif 000003
【図３】
0005766019.tif 000004
【図４】
0005766019.tif 000005
【図５】
0005766019.tif 000006
【図６】
0005766019.tif 000007
【図７】
0005766019.tif 000008
【図８】
0005766019.tif 000009
【図９】
0005766019.tif 000010
【図１０】
0005766019.tif 000011
【図１１】
0005766019.tif 000012
【図１２】
0005766019.tif 000013
【図１３】
0005766019.tif 000014